(57)【特許請求の範囲】
【請求項１】
第１の永代供養料の支払いを伴う第１の永代供養システムと、該第１の永代供養料よりも高く設定された第２の永代供養料の支払いを伴う第２の永代供養システムと、該第２の永代供養料よりも高く設定された第３の永代供養料の支払いを伴う第３の永代供養システムとを含み、
前記第１の永代供養システムは、ユーザーによって寺院、神社、教会、葬儀社、石屋等の永代供養取り扱い者に預けられた遺骨の一部を第１の骨壷に収納し、該第１の骨壷を納骨室に安置し、契約により１〜５０年の間で設定された年忌が明けた後は、該第１の骨壷内の遺骨を粉砕して粉砕骨とし、該粉砕骨と骨分解促進材とを混合してその全体を生分解性材料を用いて形成された袋体に収容し、該袋体を合祀室に収納する如くなされており、前記遺骨の残余は、これを粉砕して粉砕骨とし該粉砕骨と骨分解促進材とを混合してその全体を、生分解性材料を用いて形成された袋体に収容し、該袋体を合祀室に収納する如くなされており、
前記第２の永代供養システムは、ユーザーによって前記永代供養取り扱い者に預けられた遺骨を粉砕して粉砕骨とし、該粉砕骨を第２の骨壷に収容し、該第２の骨壷を納骨室に安置し、契約により１〜５０年の間で設定された年忌が明けた後は、該第２の骨壷内の該粉砕骨と骨分解促進材とを混合してその全体を、生分解性材料を用いて形成された袋体に収容し、該袋体を合祀室に収納する如くなされており、
前記第３の永代供養システムは、ユーザーによって前記永代供養取り扱い者に預けられた遺骨を第３の骨壷に収容し、該第３の骨壷を納骨室に安置し、契約により１〜５０年の間で設定された年忌が明けた後は、該第３の骨壷内の遺骨を粉砕して粉砕骨とし、該粉砕骨と骨分解促進材とを混合してその全体を、生分解性材料を用いて形成された袋体に収容し、該袋体を合祀室に収納する如くなされており、
前記第１、第２、第３の各骨壷のサイズは２〜９寸に設定されており、該第２の骨壷のサイズは該第１の骨壷のサイズよりも大きく設定され、該第３の骨壷のサイズは該第２の骨壷のサイズよりも大きく設定されていることを特徴とする永代供養システム。
【請求項２】
前記第１の骨壷のサイズは２〜３寸に設定され、前記第２の骨壷のサイズは４〜６寸に設定され、前記第３の骨壷のサイズは７〜９寸に設定されていることを特徴とする請求項１記載の永代供養システム。
【請求項３】
前記骨分解促進材は有機物であることを特徴とする請求項１又は２記載の永代供養システム。
【請求項４】
前記骨分解促進材は穀物であることを特徴とする請求項１又は２記載の永代供養システム。
【請求項５】
前記第１の永代供養料は、前記納骨室に安置して供養するための納骨室供養分が一月当たり１０００円に設定されると共に、前記合祀室に収納して供養するための合祀室供養分が一回限りで３万円に設定されており、前記第２の永代供養料は、前記納骨室供養分が一月当たり２０００円に設定されると共に前記合祀室供養分が一回限りで３万円に設定されており、前記第３の永代供養料は、前記納骨室供養分が一月当たり３０００円に設定されると共に、前記合祀室供養分が一回限りで３万円に設定されていることを特徴とする請求項１〜４の何れかに記載の永代供養システム。
【請求項６】
前記第１の永代供養料は、前記納骨室に安置して供養するための納骨室供養分が一月当たり５００円に設定されると共に、前記合祀室に収容して供養するための合祀室供養分が一回限りで１〜３万円に設定されており、
前記第２の永代供養料は、前記納骨室供養分が一月当たり１０００円に設定されると共に前記合祀室供養分が一回限りで１〜３万円に設定されており、前記第３の永代供養料は、前記納骨室供養分が一月当たり１５００円に設定されると共に、前記合祀室供養分が一回限りで１〜３万円に設定されていることを特徴とする請求項１〜４の何れかに記載の永代供養システム。
【請求項７】
第１の骨壷と第２の骨壷と第３の骨壷を安置する納骨室と、遺骨を粉砕してなる粉砕骨と骨分解促進材とを混合してなるものの全体が収容されてなる、生分解性材料を用いて形成された袋体を収納する合祀室とを具えており、
前記第１、第２、第３の各骨壷のサイズは２〜９寸に設定されており、該第２の骨壷のサイズは該第１の骨壷のサイズよりも大きく設定され、該第３の骨壷のサイズは該第２の骨壷のサイズよりも大きく設定されており、該第１の骨壷と該第３の骨壷には、喉仏を含む遺骨が収容されるものとなされており、該第２の骨壷には、遺骨を粉砕してなる粉砕骨が収容されるものとなされていることを特徴とする永代供養施設。
【請求項８】
第１の石積構造物の内部に前記納骨室を具え、第２の石積構造物の内部に前記合祀室が設けられており、該第１の石積構造物と該第２の石積構造物は隣り合っており、該第１の石積構造物と該第２の石積構造物は、夫々、積重された上下の石材相互が連結一体化され、夫々の石積構造物の下面部でアンカー部材が突設されており、前記合祀室を構成する骨収容槽は、前記第１の石積構造物の下部と前記第２の石積構造物の下部とに股がって地盤に埋設されており、
前記第１の石積構造物と前記第２の石積構造物が共に、基礎コンクリート部を介して地盤に固定されており、該基礎コンクリート部は、前記地盤に設けた打設凹部にコンクリートを打設して形成されており、帯状の板が杭軸線方向で連続的に螺旋状に捩じられて形成されたスパイラル杭が前記地盤に埋設され、該スパイラル杭の螺旋状の上端側部分が前記打設凹部の底部の上方に突設され、該上端側部分が前記基礎コンクリート部に埋入されており、
又前記アンカー部材が、前記第１、第２の石積構造物の下面部を前記基礎コンクリート部の上面部に載置した状態で、該基礎コンクリート部に埋入されていることを特徴とする請求項７記載の永代供養施設。
【請求項９】
請求項１〜６の何れかに記載の永代供養システムは、請求項８記載の納骨室と合祀室を用いて構成されていることを特徴とする永代供養システム。
【発明の詳細な説明】
【技術分野】
【０００１】
本発明は永代供養システムに関するものであり、又、該永代供養システムを構成するために用いて好適な永代供養施設に関するものである。
【背景技術】
【０００２】
近年における核家族化の進展や少子化等の社会現象、国内各地への転勤の増加や海外赴任の長期化等による後継者の不在によって、又、都会における墓地の入手困難等によって、従来型の墓による永代供養が困難となってきている。
【０００３】
かかることから、寺院等に永代供養を依託する遺族が次第に多くなってきている。ところで従来におけるかかる依託による永代供養のシステムとしては、特許文献１や特許文献２に記載されているように、火葬された遺骨を納骨室に所定期間安置して供養し、所定期間が経過した遺骨を合祀室に収納して供養するのが一般的であるが、近年は、火葬された遺骨を始めから合祀室に収納して供養する（合祀する）ことも増えてきている。
【０００４】
しかしながら従来の永代供養のシステムにあっては、選択肢が限られており、多様化している永代供養システムのニーズ（ユーザー夫々の趣向や予算等）を満足させることができなかった。
【先行技術文献】
【特許文献】
【０００５】
【特許文献１】実用新案登録第３１６１６０６号公報
【特許文献２】実用新案登録第３１７９７２４号公報
【発明の概要】
【発明が解決しようとする課題】
【０００６】
本発明は、骨壷を安置する納骨室における供養システムと合祀室における供養システムとを組み合わせた永代供養システムにおいて、ユーザー夫々の趣向や予算等に見合った永代供養システムの選択肢を増すことができてより魅力ある永代供養システムを提供し得る永代供養システムの提供を課題とするものである。又、前記納骨室における骨壷の安置個数を増大させることができ、これによって該納骨室の収容効率を向上させ得ると共に、前記合祀室における収納遺骨等の減容化を図って該合祀室をより長く使用可能となし、これらによって永代供養料の低減化にも寄与し得る永代供養システムの提供を課題とするものである。更に、該永代供養システムの実施に用いて好適な永代供養施設の提供を課題とするものである。
【課題を解決するための手段】
【０００７】
前記課題を解決するため本発明は以下の手段を採用する。
即ち本発明に係る永代供養システムは、第１の永代供養料の支払いを伴う第１の永代供養システムと、該第１の永代供養料よりも高く設定された第２の永代供養料の支払いを伴う第２の永代供養システムと、該第２の永代供養料よりも高く設定された第３の永代供養料の支払いを伴う第３の永代供養システムとを含む。前記第１の永代供養システムは、ユーザーによって寺院、神社、教会、葬儀社、石屋等の永代供養取り扱い者に預けられた遺骨の一部を第１の骨壷に収納し、該第１の骨壷を納骨室に安置し、契約により１〜５０年の間で設定された年忌が明けた後は、該第１の骨壷内の遺骨を粉砕して粉砕骨とし、該粉砕骨と骨分解促進材とを混合してその全体を生分解性材料を用いて形成された袋体に収容し、該袋体を合祀室に収納する如くなされており、前記遺骨の残余は、これを粉砕して粉砕骨とし該粉砕骨と骨分解促進材とを混合してその全体を、生分解性材料を用いて形成された袋体に収容し、該袋体を合祀室に収納する如くなされている。前記第２の永代供養システムは、前記永代供養取り扱い者に預けられた遺骨を粉砕して粉砕骨とし、該粉砕骨を第２の骨壷に収容し、該第２の骨壷を納骨室に安置し、契約により１〜５０年の間で設定された年忌が明けた後は、該第２の骨壷内の該粉砕骨と骨分解促進材とを混合してその全体を、生分解性材料を用いて形成された袋体に収容し、該袋体を合祀室に収納する如くなされている。前記第３の永代供養システムは、前記永代供養取り扱い者に預けられた遺骨を第３の骨壷に収容し、該第３の骨壷を納骨室に安置し、契約により１〜５０年の間で設定された年忌が明けた後は、該第３の骨壷内の遺骨を粉砕して粉砕骨とし、該粉砕骨と骨分解促進材とを混合してその全体を、生分解性材料を用いて形成された袋体に収容し、該袋体を合祀室に収納する如くなされている。そして、前記第１、第２、第３の各骨壷のサイズは２〜９寸に設定されており、該第２の骨壷のサイズは該第１の骨壷のサイズよりも大きく設定され、該第３の骨壷のサイズは該第２の骨壷のサイズよりも大きく設定されていることを特徴とするものである。
【０００８】
該永代供養システムは、前記第１の骨壷のサイズを２〜３寸に設定し、前記第２の骨壷のサイズを４〜６寸に設定し、前記第３の骨壷のサイズを７〜９寸に設定するのがよい。  
【０００９】
前記の各永代供養システムにおいて、前記骨分解促進材として有機物を用いるのがよい。
【００１０】
前記の各永代供養システムにおいて、前記骨分解促進材として穀物を用いるのがよい。  
【００１１】
前記の各永代供養システムにおいて、前記第１の永代供養料は、前記納骨室に安置して供養するための納骨室供養分を一月当たり１０００円に設定すると共に、前記合祀室に収納して供養するための合祀室供養分を一回限りで３万円に設定し、前記第２の永代供養料は、前記納骨室供養分を一月当たり２０００円に設定すると共に前記合祀室供養分を一回限りで３万円に設定し、前記第３の永代供養料は、前記納骨室供養分を一月当たり３０００円に設定すると共に、前記合祀室供養分を一回限りで３万円に設定することができる。
【００１２】
前記の各永代供養システムにおいて、前記第１の永代供養料は、前記納骨室に安置して供養するための納骨室供養分を一月当たり５００円に設定すると共に、前記合祀室に収納して供養するための合祀室供養分を一回限りで１〜３万円に設定し、前記第２の永代供養料は、前記納骨室供養分を一月当たり１０００円に設定すると共に前記合祀室供養分を一回限りで１〜３万円に設定し、前記第３の永代供養料は、前記納骨室供養分を一月当たり１５００円に設定すると共に、前記合祀室供養分を一回限りで１〜３万円に設定することもできる。
【００１３】
本発明に係る永代供養施設は、第１の骨壷と第２の骨壷と第３の骨壷を安置する納骨室と、遺骨を粉砕してなる粉砕骨と骨分解促進材とを混合してなるものの全体が収容されてなる、生分解性材料を用いて形成された袋体を収納する合祀室とを具えており、前記第１、第２、第３の各骨壷のサイズは２〜９寸に設定されており、該第２の骨壷のサイズは該第１の骨壷のサイズよりも大きく設定され、該第３の骨壷のサイズは該第２の骨壷のサイズよりも大きく設定されるものとなされており、該第１の骨壷と該第３の骨壷には喉仏を含む遺骨が収容されるものとなされており、該第２の骨壷には、遺骨を粉砕してなる粉砕骨が収容されるものとなされていることを特徴とするものである。
【００１４】
本発明に係る永代供養施設の他の態様は、耐震性に優れたものとして構成されており、第１の石積構造物の内部に前記納骨室を具え、前記第２の石積構造物の内部に前記合祀室が設けられており、該第１の石積構造物と該第２の石積構造物は隣り合っており、該第１の石積構造物と該第２の石積構造物は、夫々、積重された上下の石材相互が連結一体化され、夫々の石積構造物の下面部でアンカー部材が突設されており、前記合祀室を構成する骨収容槽は、前記第１の石積構造物の下部と前記第２の石積構造物の下部とに股がって地盤に埋設されている。そして、前記第１の石積構造物と前記第２の石積構造物が共に、基礎コンクリート部を介して地盤に固定されており、該基礎コンクリート部は、前記地盤に設けた打設凹部にコンクリートを打設して形成されており、該打設凹部の底部で、帯状の板が杭軸線方向で連続的に螺旋状に捩じられて形成されたスパイラル杭が前記地盤に埋設され、該スパイラル杭の螺旋状の上端側部分が前記底部の上方に突設され、該上端側部分が前記基礎コンクリート部に埋入されている。又前記アンカー部材が、前記第１、第２の石積構造物の下面部を前記基礎コンクリート部の上面部に載置した状態で、該基礎コンクリート部に埋入されていることを特徴とするものである。
【００１５】
前記請求項１〜６の何れかに記載の永代供養システムは、前記耐震性の永代供養施設が有する前記納骨室と前記合祀室を用いて構成するのがよい。
【００１６】
本発明において、前記第１の骨壷、前記第２の骨壷、前記第３の骨壷に収容される遺骨は、一人分の遺骨の全部又は一部分である。
【発明の効果】
【００１７】
本発明は以下の如き優れた効果を奏する。
(1) 本発明に係る永代供養システムによるときは、ユーザー夫々の趣向や予算等に見合った永代供養システムの選択肢を増すことができ、より魅力ある永代供養システムを提供し得ることとなる。
【００１８】
(2) 本発明に係る永代供養システムによるときは、使用する第１、第２、第３の骨壷のサイズに大小を設けているため、前記納骨室に安置し得る骨壷の個数をより増大させることが可能となる。これによって、該納骨室における骨壷の収容効率を向上させることが可能となる。加えて本発明は、前記粉砕骨を前記合祀室に収納する際、該粉砕骨に骨分解促進材を混合することとし、その全体を、生分解性材料を用いて形成された袋体に収容し、該袋体を合祀室に収納する構成を採用する。従って本発明によるときは、前記粉砕骨及び袋体が生分解される。それ故、合祀室における収納遺骨等の減容化を図って該合祀室をより長く使用可能となし得る。これらのことから本発明によるときは、永代供養料の低減化を図り得ることとなる。
【００１９】
(3) 本発明に係る永代供養施設によるときは、前記永代供養システムを好適に実施できる。特に、本発明に係る永代供養施設を、スパイラル杭を地盤に埋設して構成するときは、該永代供養施設の耐震性を向上させることができ、本発明における永代供養システムを、安全性を確保して永続的に実施し得ることとなる。
【図面の簡単な説明】
【００２０】
【図１】本発明に係る第１の永代供養システムを説明する説明図である。
【図２】本発明に係る第２の永代供養システムを説明する説明図である。
【図３】本発明に係る第３の永代供養システムを説明する説明図である。
【図４】本発明で用いる永代供養施設を説明する斜視図である。
【図５】その側面図である。
【図６】その断面図である。
【図７】永代供養施設を示す斜視図と、納骨室を内部に具える第１の石積構造物を示す正面図である。
【図８】第１の石積構造物の横断面図である。
【図９】第１の石積構造物における上下の石材相互を連結軸を用いて連結一体化した状態を示す断面図である。
【図１０】合祀室を具える第２の石積構造物を示す側面図である。
【図１１】第２の石積構造物の上下の石材相互を連結軸を用いて連結一体化した状態を示す断面図である。
【図１２】第２の石積構造物の横断面図である。
【図１３】第２の石積構造物の収納空室の構成を説明する斜視図である。
【発明を実施するための形態】
【実施例１】
【００２１】
図１〜３において本発明に係る永代供養システムは、図６に示す永代供養施設１に設けられている納骨室２と合祀室３を用いて構成されており、第１の永代供養料の支払いを伴う第１の永代供養システムＡ１（図１）と、該第１の永代供養料よりも高く設定された第２の永代供養料の支払いを伴う第２の永代供養システムＡ２（図２）と、該第２の永代供養料よりも高く設定された第３の永代供養料の支払いを伴う第３の永代供養システムＡ３（図３）とを含むものである。これらの第１、第２、第３の各永代供養システムＡ１、Ａ２、Ａ３にあっては、前記納骨室２における供養の場合は、各故人の遺骨は別々の骨壷に納められるために、各故人は骨壷によって識別される。従って、故人を間近に偲びながら個別の供養を行うことができる。そして、前記合祀室３における供養にあっては合祀での供養を行うことができる。
【００２２】
前記第１の永代供養システムＡ１を図１に基づいて説明すれば、ユーザーによって寺院、神社又は教会、葬儀社、石屋等の永代供養取り扱い者（例えば寺院）に預けられた遺骨（焼骨）５の一部６を、例えば図１に示す第１の骨壷７に収容し、該第１の骨壷７を納骨室２に安置する。契約により１〜５０年の間で設定された年忌が明けた後は、該第１の骨壷７を該納骨室２から取り出し、該第１の骨壷７内の遺骨５を粉砕して粉砕骨９とし、該粉砕骨９と骨分解促進材１０とを混合してその全体を、生分解性材料を用いて形成された所要容積の袋体１１に収容し、該袋体１１を合祀室３に収納する如くなされている。そして、前記遺骨の残余１２は、これを粉砕して粉砕骨９とし該粉砕骨９と骨分解促進材１０とを混合してその全体を、生分解性材料を用いて形成された所要容積の袋体１１に収容し、該袋体１１を合祀室３に収納する如くなされている。
【００２３】
前記第２の永代供養システムＡ２を図２に基づいて説明すれば、ユーザーによって寺院等の前記永代供養取り扱い者に預けられた遺骨５を粉砕して粉砕骨９とし、該粉砕骨９を第２の骨壷１３に収容し、該第２の骨壷１３を納骨室２に安置する。契約により１〜５０年の間で設定された年忌が明けた後は、該第２の骨壷１３を該納骨室２から取り出し、該第２の骨壷１３内の該粉砕骨９と骨分解促進材１０とを混合してその全体を、生分解性材料を用いて形成された所要容積の前記袋体１１に収容し、該袋体１１を前記合祀室３に収納する如くなされている。
【００２４】
前記第３の永代供養システムＡ３を図３に基づいて説明すれば、ユーザーによって寺院等の前記永代供養取り扱い者に預けられた遺骨５を第３の骨壷１５に収容し、該第３の骨壷１５を前記納骨室２に安置する。契約により１〜５０年の間で設定された年忌が明けた後は、該第３の骨壷１５を該納骨室２から取り出し、該第３の骨壷１５内の遺骨５を粉砕して粉砕骨９とし、該粉砕骨９と骨分解促進材１０とを混合してその全体を、生分解性材料を用いて形成された所要容積の前記袋体１１に収容し、該袋体１１を前記合祀室３に収納する如くなされている。
【００２５】
前記第１、第２、第３の各骨壷７，１３，１５のサイズは２〜９寸に設定されている。骨壷のサイズは通常、尺貫法の寸で表示され、各サイズは、胴の部分の直径を表している。そして該第２の骨壷１３のサイズは該第１の骨壷７のサイズよりも大きく設定され、該第３の骨壷１５のサイズは該第２の骨壷１３のサイズよりも大きく設定されている。本実施例においては、該第１の骨壷７のサイズは例えば２〜３寸とされ、該第２の骨壷１３のサイズは例えば４〜６寸とされ、又該第３の骨壷１５のサイズは例えば７〜９寸とされる。該第１の骨壷７には、前記遺骨の内の喉仏等の重要な骨が収容される。又前記第２の骨壷１３には前記粉砕骨９が収容される。該粉砕骨９は、遺骨を粉骨してなるため減容化が図られ、遺骨の多くの部分を収容できる。又前記第３の骨壷１５は容積が比較的大きいため、喉仏を含む、より多くの遺骨５を収容できる。
【００２６】
前記袋体１１は、前記のように生分解性材料を用いて構成されており、例えば、晒木綿の布を以て構成されている。そして該袋体１１内に、前記粉砕骨９と前記骨分解促進材１０を混合した状態で収容され、その後、例えば、該袋体１１の紐１６を引き絞って結着することにより、例えば巾着状に該袋体１１の収容口１７を閉じることができる。その形態は、例えば縦長の長方形状に形成でき、その下辺長さを２０ｃｍ程度に且つその高さを２５ｃｍ程度に設定できる。
【００２７】
前記骨分解促進材１０としては、穀物や籾殻、くるみ殻等の有機物を用いるのがよく、該穀物としては、米（玄米が好ましい）や豆類等を単独又はこれらを混合して使用できる。これらの穀物は、粒子状或いは粉末状であってもよい。該骨分解促進材１０として玄米を用いる場合、該粉砕骨９と該玄米の体積割合は例えば１０：１に設定する。
【００２８】
前記第１、第２、第３の永代供養料は例えば次のように設定する。即ち、前記第１の永代供養料は、前記納骨室２に安置される第１の骨壷７のサイズが２〜３寸と比較的小さく、従って、前記納骨室２に、より多くの個数を安置できることに鑑み、前記納骨室２に安置して供養するための納骨室２における供養分を一月当たり１０００円に設定すると共に、前記合祀室３に収容して供養するための合祀室３における供養分を、一回限りで３万円に設定する。又前記第２の永代供養料は、前記第２の骨壷１３のサイズが前記第１の骨壷７のサイズよりも大きいが前記第３の骨壷１５のサイズよりも小さいことに鑑み、納骨室２における供養分を一月当たり２０００円に設定すると共に、前記合祀室３における供養分を、一回限りで３万円に設定する。又前記第３の永代供養料は、前記第３の骨壷１５のサイズが最も大きいために、これを前記納骨室２に安置できる個数が少ないことに鑑み、前記納骨室２における供養分を一月当たり３０００円に設定すると共に、前記合祀室３における供養分を、一回限りで３万円に設定する。
【００２９】
前記第１、第２、第３の永代供養料は、例えば次のように設定することもできる。即ち、前記第１の永代供養料は、前記納骨室２に安置して供養するための納骨室２における供養分を一月当たり５００円に設定すると共に、前記合祀室３における供養分を一回限りで１〜３万円に設定する。例えば２万円に設定する。又前記第２の永代供養料は、前記納骨室２における供養分を一月当たり１０００円に設定すると共に、前記合祀室３における供養分を、一回限りで１〜３万円に設定する。例えば２万円に設定する。又前記第３の永代供養料は、前記納骨室２における供養分を一月当たり１５００円に設定すると共に、前記合祀室３における供養分を、一回限りで１〜３万円に設定する。例えば２万円に設定する。このように前記第１、第２、第３の永代供養料を比較的安価に設定する場合は、前記第２の骨壷１３のサイズと前記第３の骨壷１５のサイズをより小さく設定してもよい。
【００３０】
このような永代供養システムは、前記第１、第２、第３の永代供養システムを含むため、ユーザーは、自己の趣向と予算等に見合ったシステムを選択できることとなり、ユーザーにとっての便益が高まる。
【００３１】
このように第１、第２、第３の永代供養システムＡ１，Ａ２，Ａ３においては、前記永代供養料の多寡によって、使用する第１、第２、第３の骨壷７，１３，１５のサイズに大小を設けているため、これらを一般的なサイズの骨壷（例えば関西サイズでは５寸、関東サイズ７寸）に統一する場合に比して、前記納骨室２に安置し得る骨壷の個数を増大させることができる。これによって、納骨室２における骨壷の収容効率を向上させることができる。加えて、前記袋体１１内に収容されている粉砕骨９は、骨分解促進材１０としての前記有機物、例えば玄米や豆類等によって微生物による生分解が促進され、粉砕骨９が土に還る。又、該袋体１１は生分解性材料を用いて形成されているため該袋体１１も微生物によって生分解される。これらによって、前記合祀室３内に収容されている収容物の減容化が促進されるため、該合祀室３内の空間を効率的に活用できることとなる。
【００３２】
次に、前記永代供養施設１の構成を説明する。図４〜１３において該永代供養施設１は、前記第１の骨壷７と前記第２の骨壷１３と前記第３の骨壷１５を安置する前記納骨室２と、前記粉砕骨９と骨分解促進材１０とを混合してなるものの全体が収容されてなる前記袋体１１を収納する合祀室３とを具えている。
【００３３】
これをより具体的に説明すれば、該永代供養施設１は、耐震性の永代供養施設として構成されており、第１の石積構造物１９の内部に前記納骨室２が設けられ、第２の石積構造物２０の内部に前記合祀室３が設けられており、該第１の石積構造物１９と該第２の石積構造物２０は隣り合っている。該第１の石積構造物１９と該第２の石積構造物２０は、夫々、積重された上下の石材２１，２１相互が連結一体化されている。そして図６に示すように、該第１、第２の石積構造物１９，２０の下面部２２でアンカー部材２３が突設されており、前記合祀室３を構成する骨収容槽２５は、前記第１の石積構造物１９の下部２６と前記第２の石積構造物２０の下部２７とに股がって地盤２９に埋設されている。
【００３４】
又、前記第１の石積構造物１９と前記第２の石積構造物２０は共に、基礎コンクリート部３０を介して該地盤２９に固定されており、該基礎コンクリート部３０は、該地盤２９に設けた打設凹部３１にコンクリートを打設して形成されている。そして、該打設凹部３１の底部３２で、帯状の板３３が杭軸線方向で連続的に螺旋状に捩じられて形成されたスパイラル杭３４が前記地盤２９に埋設され、該スパイラル杭３４の螺旋状の上端側部分３５が前記底部３２の上方に突設され、該上端側部分３５が前記基礎コンクリート部３０に埋入されている。又、前記第１、第２の石積構造物１９，２０の下面部２２，２２を前記基礎コンクリート部３０の上面部３６に載置した状態で、前記アンカー部材２３が該基礎コンクリート部３０に埋入されている。
【００３５】
前記第１の石積構造物１９は、本実施例においては図４〜９に示すように、石材からなる矩形板状の床板部材３７上の四隅部において、石材２１からなる支柱部材３９，３９，３９，３９が立設されている。各支柱部材３９には、図８〜９に示すように、その軸線に沿って上下方向に連続する軸挿通孔４０が設けられており、該軸挿通孔４０に、連結軸４１が挿通される。又、前記納骨室２の前面部４２と後面部４３と左右の側面部４５，４５では、図８に示すように、隣り合う支柱部材３９，３９間に、石材２１としての板状部材４６が、その両側部分４７，４７を、対向する支柱部材３９，３９の対向面部に設けた嵌合溝４９，４９に嵌め入れた立設状態で保持されている。
【００３６】
そして図５に示すように、前記の各支柱部材３９，３９，３９，３９の上端５０は同高さにあり、該上端５０に、石材からなる矩形板状の天板部材５１が載置され、該天板部材５１上に、石材からなる矩形枠部材５２が載置され、その上に、石材からなる屋根部材５３が載置されている。該屋根部材５３上には、適宜、観音像や五輪塔等が載置される。
【００３７】
又、前記前面部４２を形成する前記板状部材４６は、図７に示すように、その中央部分に出入口用開口５５が設けられており、該出入口用開口５５に扉５６が蝶番を介して取り付けられることによって、前記第１の石積構造物１９の内部に形成されてなる前記納骨室２の出入口５７を該扉５６で開閉可能となされている。又、前記左右の側面部４５，４５の外面部分５９，５９には、図４〜５、図７に示すように、戒名板をスライドによって取り付けるためのスライド溝部６０が上下多段に設けられている。
【００３８】
前記納骨室２の内部の左右側には、図６、図７（Ｂ）に示すように、前記骨壷を並置するためのステンレス製の棚６１，６１が、例えば５段に設けられており、参拝者は、前記出入口５７を通して該納骨室２を出入りできる。
【００３９】
前記第２の石積構造物２０は、本実施例においては図４〜６に示すように、前記第１の石積構造物１９の稍後側に位置させて（例えば２４０ｍｍ程度の距離を置いて）設けられており、前記第１の石積構造物１９に比して高さが低く形成され、その上面部分６２には、花台部材６３や燭台部材６５等を配置可能となされている。
【００４０】
該第２の石積構造物２０は、より具体的には図４、図１０〜１２に示すように、前記第１の石積構造物１９の前記床板部材３７と左右方向幅が等しいベース部材６６の前側部分６７上に載置される該床板部材３７の四隅部において、石材からなる支柱部材６９，６９，６９，６９が立設されている。各支柱部材６９には、図１０〜１１に示すように、その軸線に沿って上下方向に連続する軸挿通孔７０が設けられており、該軸挿通孔７０に連結軸７１が挿通される。又図１２に示すように、前面部７２と両側面部７３，７３にあっては、隣り合う支柱部材６９，６９間に、石材からなる板状部材７５が、その両側部分７６，７６を、左右の支柱部材６９，６９の対向面部に設けた嵌合溝７７，７７に嵌め入れた立設状態で保持されている。そして該両側面部７３，７３を構成する両板状部材７５，７５の上側部分には、図４、図６、図１０に示すように、前記収納空室７９内を通気するための通気孔８０，８０が設けられている。
【００４１】
又、後側に位置する隣り合う支柱部材６９，６９間には、図４、図１２に示すように、観音開き状に開閉し得る石材からなる扉板８１，８１が設けられている。又図６に示すように、前記前面部７２（図１２）を構成する前記板状部材７５の上側部分には換気口８２が設けられており、該換気口８２が図６、図１３に示すように、前記骨収容槽２５の上部８３に連通管８５を介して連通されることによって、該骨収容槽２５の内部８６を換気できる。
【００４２】
図１０に示すように、前記の各支柱部材６９，６９，６９，６９の上端８７は同高さにあり、該支柱部材６９，６９，６９，６９の該上端８７に、石材２１からなる矩形板状を呈する天板部材８９が載置され、該天板部材８９上に、石材２１からなる矩形板状を呈する供物台部材９０が載置されている。そして、前記ベース部材６６の後側の部分９１（図４）は参拝スペースを構成している。
【００４３】
然して、前記扉板８１，８１を図１２に一点鎖線で示すように開くと前記収納空室７９が開放される。該収納空室７９の底面部９２には、蓋板９３によって開閉可能となされた前記収納用開口９５（図６、図１２〜１３）が設けられており、該収納用開口９５が、図６に示すように、前記ベース部材６６に設けた開口９６に連通し、前記骨収容槽２５の上端開放部９７の略中央９９に連通する如くなされている。又図１３に示すように、該底面部９２の、該収納用開口９５の側方に位置させて、前記骨収容槽２５の内部８６（図６）に連通する連通開口１０１が設けられており、該連通開口１０１に、Ｌ字状蛇腹ダクトとしての前記連通管８５の下端部分が連設されている。
【００４４】
本発明に係る永代供養施設１は、このように、積重された上下の石材２１，２１相互が連結一体化されてなる第１、第２の石積構造物１９，２０の下面部２２，２２でアンカー部材２３が突設されており、前記基礎コンクリート部３０は、地盤に設けた打設凹部３１にコンクリートを打設して形成されており、図６に示すように、該打設凹部３１の底部３２で、帯状の板３３を杭軸線方向で連続的に螺旋状に捩じって形成された前記スパイラル杭３４が地盤２９に埋設され、該スパイラル杭３４の螺旋状の上端側部分３５が前記底部３２で上方に突設され、該上端側部分３５が前記基礎コンクリート部３０に埋入されており、又前記アンカー部材２３が、前記第１、第２の石積構造物１９，２０の下面部２２，２２を前記基礎コンクリート部３０の上面部３６に載置した状態で、該基礎コンクリート部３０に埋入されてなる構成を採用している。
【００４５】
従って本発明によるときは、耐震性が向上された第１、第２の石積構造物１９，２０を、スパイラル杭３４を介して地盤２９に強固に一体化された基礎コンクリート部３０と、該第１、第２の石積構造物１９，２０の下面部２２，２２で突設されて該基礎コンクリート部３０に埋入されたアンカー部材２３とを介して地盤２９に強固に固定できる。これによって該第１、第２の石積構造物１９，２０を地盤２９に高耐震性を確保して強固に固定できることとなり、地震時の振動が大きくても、従来のように基礎コンクリート部３０が地盤２９から浮き上がって第１、第２の石積構造物１９，２０が横転したり傾いたりするのを防止できる。
【００４６】
これを達成できるのは、スパイラル杭３４の螺旋状に捩じれた部分が地盤２９に食い込んだ状態にあって、該スパイラル杭３４と該地盤２９との係合が大きな面積で行われ該スパイラル杭３４と該地盤２９とが一体化状態にあるために、地震時の振動によって該スパイラル杭３４を浮き上げる力が作用した場合も、該スパイラル杭３４が地中から抜け難いからである。そして、このように地盤２９と一体化状態にあるスパイラル杭３４の上端側部分３５をなす螺旋状に捩じれた部分が前記基礎コンクリート部３０に食い込んだ状態にあって、該上端側部分３５と前記基礎コンクリート部３０との係合が大きな面積で行われ、該上端側部分３５と該基礎コンクリート部３０とが強固に一体化した状態にあるからである。加えて、耐震性に優れる前記第１、第２の石積構造物１９，２０は、前記基礎コンクリート部３０の上面部３６に安定的に設置され、且つ、前記第１、第２の石積構造物１９，２０が、前記アンカー部材２３を介して前記基礎コンクリート部３０に安定状態で強固に固定されているからである。
【００４７】
そして本実施例においては、前記収納用開口９５を、前記骨収容槽２５の上端開放部９７の略中央に連通させているため、該収納用開口９５を通して前記合祀室３に前記袋体１１を収納するとき、該合祀室３内に片寄りなく均等に収納され易い。
【００４８】
かかる構成の永代供養施設１のように納骨室２と合祀室３を屋外に設ける場合、永代供養施設１を耐震性のものとして構成するときは、本発明における永代供養システムを安全性を確保して永続的に実施し得ることとなる。
【実施例２】
【００４９】
本発明は、前記実施例で示したものに限定されるものでは決してなく、「特許請求の範囲」の記載内で種々の設計変更が可能である。
【００５０】
(1) 前記納骨室２と前記合祀室３は前記したように隣り合わせて一体化状態に設けられることの他、該納骨室２を寺院の本堂等、屋内に設ける一方、該合祀室３は地盤に埋設する等、両者が離れた場所に設けられてもよい。
【００５１】
(2) 本発明に係る永代供養システムは、ユーザーによって寺院、神社、教会、葬儀社、石屋等の前記永代供養取り扱い者に預けられた遺骨の全体を生分解性材料を用いて形成された袋体１１に収容し、該袋体１１を合祀室３に収納する第４の永代供養システムを含む如く構成されることもある。この場合は、永代供養料（第４の永代供養料）を、例えば、１回限り３万円に設定する。
【００５２】
(3) 前記粉砕骨と前記骨分解促進材とを混合してなるものの全体が収容されてなる前記袋体１１の収容口１７を閉じる手段としては公知の各種手段を採用でき、前記のように紐１６を引き絞って結着する手段に特定されるものではない。
【符号の説明】
【００５３】
１  永代供養施設
２  納骨室
３  合祀室
５  遺骨
７  第１の骨壷
９  粉砕骨
１０  骨分解促進材
１１  袋体
１３  第２の骨壷
１５  第３の骨壷
１６  紐
１７  収容口
１９  第１の石積構造物
２０  第２の石積構造物
２１  石材
２３  アンカー部材
２５  骨収容槽
２９  地盤
３０  基礎コンクリート部
３１  打設凹部
３２  底部
３３  帯状の板
３４  スパイラル杭
３５  上端側部分
【要約】
【課題】ユーザー夫々の趣向や予算等に見合った永代供養システムの選択肢を増すことにより、魅力ある永代供養システムを提供する。
【解決手段】第１の骨壷を用いる第１の永代供養システムと、粉砕骨が収容される第２の骨壷を用いる第２の永代供養システムと、遺骨が収容される第３の骨壷を用いる第３の永代供養システムとを含む永代供養システムである。該永代供養システムは、第１、第２、第３の骨壷を安置する納骨室２と、粉砕骨を収納する合祀室３を具える永代供養施設１を用いて実施される。粉砕骨は、骨分解促進材と混合され、生分解性の袋体に収容され、該袋体が合祀室３に収納される。
【選択図】図６【図１】
0006032627.tif 000002
【図２】
0006032627.tif 000003
【図３】
0006032627.tif 000004
【図４】
0006032627.tif 000005
【図５】
0006032627.tif 000006
【図６】
0006032627.tif 000007
【図７】
0006032627.tif 000008
【図８】
0006032627.tif 000009
【図９】
0006032627.tif 000010
【図１０】
0006032627.tif 000011
【図１１】
0006032627.tif 000012
【図１２】
0006032627.tif 000013
【図１３】
0006032627.tif 000014